(57)【特許請求の範囲】
【請求項１】
釣り竿装着部を有するリール本体に回転自在に支持されるハンドル軸に装着される両軸受リールのドラグ操作部材であって、
前記ハンドル軸に回転可能に装着される装着部と、
それぞれが前記装着部から径方向外方に延び、周方向に間隔を隔てて設けられる複数の操作部と、
を備え、
前記複数の操作部のそれぞれは、前記リール本体をハンドル方向から側面視したときに、前記リール本体のハンドル側の側カバーの底面よりも突出可能であり、前記ハンドル軸と直交する面で切ったときに、前記ハンドル軸の軸芯と前記先端部の最外径部とを結ぶ第１直線とのなす角度が鋭角となるように形成される指当て部を前記先端部に有する、
両軸受リールのドラグ操作部材。
【請求項２】
前記先端部は、前記操作部の他の部分より周方向の厚みが厚く、
前記指当て部は、前記指当て部と、前記指当て部の基端側と前記軸芯とを結ぶ第２直線と、のなす角度が鈍角となるように形成される、請求項１に記載の両軸受リールのドラグ操作部材。
【請求項３】
前記先端部は、前記軸芯を含む面で切ったときに、前記最外径部から前記リール本体に近づくに連れて外周部から前記軸芯までの距離が徐々に短くなる傾斜部を有する、請求項１又は２に記載の両軸受リールのドラグ操作部材。
【請求項４】
リール本体と、
ハンドル軸と、
請求項１から３のいずれか１項に記載の両軸受リールのドラグ操作部材と、を備える、両軸受リール。
【発明の詳細な説明】
【技術分野】
【０００１】
本発明は、両軸受リール及び釣り竿装着部を有する両軸受リール流本体に回転自在に支持されるハンドル軸に装着される両軸受リールのドラグ操作部材に関する。
【背景技術】
【０００２】
両軸受リールには、スタードラグと呼ばれるドラグ機構のドラグ力を調整操作するためのドラグ操作部材が設けられる。ドラグ操作部材は、両軸受リールのハンドル軸に螺合してドラグ力を調整する。ドラグ操作部材は、ドラグ力がある程度強くなるとハンドル軸と一体で回転する。
【０００３】
釣りを行っていると、釣り糸を僅かに巻き取る操作が必要な場合がある。例えば、釣り糸のたるみを取る糸ふけを回収する場合、キャスティング後にクラッチ機構をクラッチオフ状態からクラッチオン状態に戻す場合、及びキャスティング後にルアーにアクションを加える場合などに、スプールを糸巻き取り方向に僅かに回転させることがある。
【０００４】
このようにスプールを僅かに糸巻取方向にわずかに回転させる場合、ハンドル組立体を用いて釣り糸を巻き取ると、その糸巻取動作を瞬時に行えない場合がある。すなわち、ダブルハンドル型のハンドル組立体でも、１８０度離れてハンドル把手が配置されるため、ハンドル把手が握りやすい位置にないとハンドル組立体を瞬時に操作しにくい。そこで、ドラグ操作部材に、釣り竿を持つ手でハンドル軸を回すための補助操作部を設けたものが従来知られている（例えば、特許文献１参照）。従来のドラグ操作部材は、放射状に突出する複数のドラグ操作部の先端部に補助操作部が設けられている。補助操作部は、リール本体側に接近するように設けられている。これにより、釣り竿を持つ手の指先でドラグ操作部材を糸巻取方向に操作することができる。
【先行技術文献】
【特許文献】
【０００５】
【特許文献１】特許第３９６７６６１号明細書
【発明の概要】
【発明が解決しようとする課題】
【０００６】
従来の構成では、ドラグ操作部材にリール本体に接近する補助操作部を設けているため、ドラグ操作部材の重量の増加を招く。また、ドラグ操作部材の構造が複雑になり、ドラグ操作部材のコストの増加を招く。
【０００７】
本発明の課題は、両軸受リールのドラグ操作部材を、重量及びコストの増加を抑えて釣り竿を持つ手の指先により容易に操作できるようにすることにある。
【課題を解決するための手段】
【０００８】
発明１に係る両軸受リールのドラグ操作部材は、釣り竿装着部を有するリール本体に回転自在に支持されるハンドル軸に装着される。ドラグ操作部材は、装着部と、複数の操作部と、を備える。装着部は、ハンドル軸に回転可能に装着される。複数の操作部は、釣り竿装着部側において、装着部から、リール本体よりも径方向外方に延びている。複数の操作部は、周方向に間隔を隔てて配置される。複数の操作部は、ハンドル軸と直交する面で切ったときに、ハンドル軸の軸芯と先端部の最外径部とを結ぶ第１直線とのなす角度が鋭角となるように形成される指当て部を先端部に有する。
【０００９】
この両軸受リールのドラグ操作部材では、操作部が釣り竿装着部側において、リール本体よりも径方向外方に延びている。このため、釣り竿を握る手で操作部を操作可能である。また、操作部の先端部にハンドル軸の軸芯と先端部の最外径部とを結ぶ直線となす角度が鋭角となるような指当て部を有する。ここでは、釣り竿を持つ手によってドラグ操作部材の操作部の先端部をハンドル装着側と逆側から回転操作するとき、先端部にある指当て部が鋭角的に形成されるため、指当て部に指先の腹の部分が沿うようになり、釣り竿を持つ手によってドラグ操作部材を操作しやすくなる。したがって、操作補助部を設けることなく釣り竿を持つ手によってドラグ操作部材を容易に操作できる。このため、ドラグ操作部材を、重量及びコストの増加を抑えて釣り竿を持つ手により容易に操作できるようになる。
【００１０】
発明２に係る両軸受リールのドラグ操作部材は、発明１に記載のドラグ操作部材において、先端部は、操作部の他の部分より周方向の厚みが厚い。指当て部は、指当て部と、第２直線と、のなす角度が鈍角となるように形成される。第２直線は、指当て部の基端側と軸芯とを結ぶ直線である。この場合には、先端部が厚くかつ指当て部と第２直線とのなす角度が鈍角のため、先端部の厚みを厚くしても先端部以外の操作部の厚みを薄くでき、操作部全体としての重量の増加を抑えることができる。
【００１１】
発明３に係る両軸受リールのドラグ操作部材は、発明１又は２に記載のドラグ操作部材において、先端部は、軸芯を通る面で切ったときに、最外径部からリール本体に近づくに連れて外周部から軸芯までの距離が徐々に短くなる傾斜部を有する。この場合には、傾斜部に釣り竿を持つ手の指先が当たっても角部がないため、ドラグ操作部材を回転操作しても指先が痛くならない。
【００１２】
発明４に係る両軸受リールは、リール本体と、ハンドル軸と、発明１から３のいずれかに記載の両軸受リールのドラグ操作部材と、を備える。この場合には、上記作用効果を有する両軸受リールが得られる。
【発明の効果】
【００１３】
本発明によれば、釣り竿を持つ手によってドラグ操作部材の操作部の先端部をハンドル装着側と逆側から回転操作するとき、先端部にある指当て部が鋭角的に形成されるため、指当て部に指先の腹の部分が沿うようになり、釣り竿を持つ手によってドラグ操作部材を操作しやすくなる。したがって、操作補助部を設けることなく釣り竿を持つ手によってドラグ操作部材を容易に操作できる。このため、ドラグ操作部材を、重量及びコストの増加を抑えて釣り竿を持つ手により容易に操作できるようになる。
【図面の簡単な説明】
【００１４】
【図１】本発明の一実施形態が採用された両軸受リールの平面図。
【図２】そのハンドル装着側の側面図。
【図３】そのハンドル装着側と逆側の側面図。
【図４】図２の切断線IV−IVによる断面図。
【図５】ドラグ操作部材の側面及びその先端部の拡大図。
【図６】ハンドル軸の軸芯を通るドラグ操作部材の断面図。
【発明を実施するための形態】
【００１５】
本発明の第１実施形態を採用した両軸受リールは、図１、図２及び図３に示すように、ベイトキャスト用の小型のロープロフィール型のリールである。両軸受リールは、リール本体１と、リール本体１の側方に配置されたスプール回転用ハンドル２と、ハンドル２のリール本体１側に配置されたドラグ調整用のドラグ操作部材３とを備えている。
【００１６】
＜リール本体＞
リール本体１は、図４に示すように、フレーム５と、フレーム５の両側方に装着された第１側カバー６ａ及び第２側カバー６ｂとを有している。また、リール本体１は、前方を覆う前カバー７と、上部を覆うサムレスト８（図１参照）とを有している。さらに、リール本体１は、第１側カバー６ａにねじ止め固定される軸支持部９を有している。リール本体１の内部には糸巻き用のスプール１２が回転自在かつ着脱自在に装着されている。
【００１７】
フレーム５は、所定の間隔をあけて互いに対向するように配置された１対の第１側板５ａ及び第２側板５ｂと、これらの第１側板５ａ及び第２側板５ｂを連結する図示しない複数の連結部と、下側の連結部に設けられる釣り竿装着部５ｄと、を有している。図３に示すように、釣り竿装着部５ｄに釣り竿ＦＲを装着可能である。第１側板５ａには、スプール１２が通過可能な開口部５ｃが形成されている。軸支持部９がたとえばバヨネット機構により開口部５ｃに着脱可能に装着される。
【００１８】
第１側カバー６ａは、第１側板５ａ及び第２側板５ｂの後部に軸方向移動自在かつ回動自在に支持されている。第１側カバー６ａは、軸支持部９を介して開閉機構１４により開閉可能である。
【００１９】
第２側カバー６ｂは、第２側板５ｂにネジ止め固定されている。第２側カバー６ｂは、ハンドル２が連結される後述するハンドル軸３０を支持するともに、スプール軸１６を支持する。前カバー７及びサムレスト８は、フレーム５にねじ止め固定されている。
【００２０】
フレーム５内には、スプール１２と、スプール１２内に釣り糸を均一に巻き付けるためのレベルワインド機構１５と、サミングを行う場合の親指の当てとなるクラッチ操作部材１７とが配置されている。クラッチ操作部材１７は、クラッチオン位置とクラッチオン位置から下方に配置されるクラッチオフ位置との間で移動可能である。クラッチ操作部材１７は、クラッチ機構のオンオフ操作に用いられる。
【００２１】
スプール１２は、第１側板５ａの開口部５ｃを通過可能である。また、フレーム５と第２側カバー６ｂとの間には、ギア機構１８と、図示しないクラッチ機構と、ドラグ機構２１と、キャスティングコントロール機構２２と、が配置されている。ギア機構１８は、ハンドル２からの回転力をスプール１２及びレベルワインド機構１５に伝えるための機構である。ドラグ機構２１は、スプールの糸繰り出し方向の回転を制動して、釣り糸に設定された張力以下の張力を作用させるための機構である。クラッチ機構は、ハンドル２とスプール１２とを連結及び遮断する機構である。クラッチ機構は、クラッチ操作部材１７によりクラッチオン状態からクラッチオン状態に切り換わる。キャスティングコントロール機構２２は、スプール１２の回転時の抵抗力を調整するための機構である。さらに、フレーム５と第１側カバー６ａとの間には、スプール制動装置２３が配置されている。スプール制動装置２３は、スプール１２の回転により生じる遠心力に応じた制動力を発生する装置である。スプール制動装置２３は、キャスティング時のバックラッシュを抑えるために設けられる。
【００２２】
＜スプール及びスプール軸＞
スプール１２は、図４に示すように、外周に釣り糸が巻き付けられる筒状の糸巻胴部１２ａを有している。スプール１２は、スプール軸１６に圧入等の適宜の固定手段により固定されている。これにより、スプール１２は、スプール軸１６に一体回転可能に連結される。
【００２３】
スプール軸１６は、第２側板５ｂを貫通して第２側カバー６ｂの外方に延びている。スプール軸１６は、軸支持部９と第２側カバー６ｂと第２側板５ｂとに回転自在に支持される。
【００２４】
＜ギア機構＞
ギア機構１８は、図４に示すように、ハンドル２が一体回転可能に連結されるハンドル軸３０と、ハンドル軸３０に装着された駆動ギア３１と、駆動ギア３１に螺合するピニオンギア３２と、を有する。
【００２５】
ハンドル軸３０は、スプール軸１６と平行に配置される。軸芯Ｘを有する。ハンドル軸３０は、ワンウェイクラッチ４０により糸巻取方向のみ回転可能である。ハンドル軸３０は、第２側カバー６ｂと第２側板５ｂとに軸受を介して回転自在に支持される。
【００２６】
ハンドル軸３０は、第１面取り部３０ａと、第２面取り部３０ｂと、第３面取り部３０ｃと、第１雄ネジ部３０ｄと、第２雄ネジ部３０ｅと、鍔部３０ｆと、を有している。第１面取り部３０ａには、ハンドル２が一体回転可能に連結される。ハンドル２は、第１雄ネジ部３０ｄに螺合する固定ナット４２により、ハンドル軸３０に固定される。第２面取り部３０ｂは、第１面取り部３０ａよりも大径であり、後述するドラグ板３７を一体回転可能に連結する。第３面取り部３０ｃには、鍔部３０ｆに向けて押圧されるラチェットホイール３６が一体回転可能に連結される。駆動ギア３１は、ラチェットホイール３６に隣接してハンドル軸３０に回転自在に装着される。駆動ギア３１には、ドラグ機構２１を介してハンドル軸３０の回転が伝達される。第２雄ネジ部３０ｅには、後述するドラグナット５２が螺合する。
【００２７】
ピニオンギア３２は、スプール軸１６が中心を貫通する筒状部材である。ピニオンギア３２は、リール本体１に回転自在に支持されている。また、ピニオンギア３２は、スプール軸１６に軸方向に移動自在に装着されている。ピニオンギア３２は、スプール軸に係合する図示しない係合部を有し、クラッチ機構を構成する。
【００２８】
＜ドラグ機構＞
ドラグ機構２１は、クラッチオン状態のとき、駆動ギア３１を介してスプール１２の糸繰り出し方向の回転を制動するものである。ドラグ機構２１は、ドラグ操作部材３によりラグ力が調整される。ドラグ機構２１は、図４に示すように、ワンウェイクラッチ４０の内輪４０ａを介してハンドル２の回転及びドラグ操作部材３の押圧力が伝達されるものである。ドラグ機構２１は、内輪４０ａに一体回転可能に連結されるドラグ板３７と、ラチェットホイール３６と、を有する。ドラグ板３７と駆動ギア３１との間及び駆動ギア３１とラチェットホイール３６との間には、ドラグ作動時に駆動ギア３１が滑らかに滑るようにするためにフェルト製またはグラファイト製の第１ドラグ座金３８ａ及び第２ドラグ座金３８ｂが装着されている。
【００２９】
＜ドラグ操作部材＞
ドラグ操作部材３は、図２及び図４に示すように、操作部本体５０と、操作部本体５０に軸方向移動自在かつ一体回転可能に連結されたドラグナット５２（図４参照）と、を有する。操作部本体５０は、図４、図５及び図６に示すように、ドラグナット５２を介してハンドル軸３０に回転可能に装着される装着部５４と、装着部５４から径方向外方に延び、周方向に間隔を隔てて設けられる複数（例えば６個）の操作部５６と、を有する。装着部５４は、概ね筒状に形成され、内部にドラグナット５２を軸方向移動自在かつ一体回転可能に収納するナット収納部５４ａを有する。
【００３０】
複数の操作部５６は、図２に示すように、釣り竿装着部５ｄ側において、装着部５４から、リール本体１の第２側カバー６ｂよりも径方向外方に延びる。各操作部５６は、図５及び図６に示すように、装着部５４から延びる基端部５６ａと、基端部５６ａから径方向に延びる先端部５６ｂと、を有する。先端部５６ｂは、基端部５６ａよりも周方向及び軸芯Ｘに沿った軸方向の厚みが厚い。図５のＡ部及び図６に示すように、先端部５６ｂは、指当て部５６ｃと、指当て部５６ｃと直交する方向に配置される傾斜部５６ｄと、を有する。指当て部５６ｃは、図５のＡ部に示すように、ハンドル軸３０の軸芯Ｘと直交する面で先端部５６ｂを切ったときに、指当て部５６ｃと、ハンドル軸３０の軸芯Ｘと先端部５６ｂの最外径部５６ｅとを結ぶ第１直線Ｌ１と、のなす角度αが鋭角となるようなに形成される。また、指当て部５６ｃは、指当て部５６ｃと、指当て部５６ｃの基端側と軸芯Ｘとを結ぶ第２直線Ｌ２と、のなす角度βが鈍角となるように形成される。指当て部５６ｃは、釣り人が釣り竿ＦＲを持つ手の指先Ｆでドラグ操作部材３を回転操作するとき、指先Ｆの腹の部分Ｆａが当たる。傾斜部５６ｄは、軸芯Ｘを含む面で先端部５６ｂを切ったときに、最外径部５６ｅからリール本体１に近づくに連れて外周部から軸芯Ｘまでの距離Ｄが徐々に短くなるように形成される。傾斜部５６ｄは、この実施形態では、断面において、僅かに湾曲する曲線によって構成される。
【００３１】
＜両軸受リールの操作方法＞
通常の状態では、クラッチオン状態となっており、ハンドル２からの回転力は、ハンドル軸３０、駆動ギア３１、ピニオンギア３２及びスプール軸１６を介してスプール１２に伝達され、スプール１２が糸巻き取り方向に回転する。
【００３２】
釣りを行う場合には、釣り人は、バックラッシュを抑えるためにキャスティングコントロール機構２２で制動力を調整する。また、ドラグ機構２１のドラグ力を魚種、釣り糸の太さ等に応じて調整する。制動力の調整を終わると、釣り人はクラッチ操作部材１７を下方に押す。ここでは、クラッチ操作部材１７は、下方のクラッチオフ位置に移動する。そしてクラッチ操作部材１７の移動により、クラッチ機構がクラッチオフ状態となる。このクラッチオフ状態では、ハンドル軸３０からの回転はスプール１２及びスプール軸１６に伝達されず、スプール１２は自由回転状態になる。クラッチオフ状態にして、釣り人は、第１側カバー６ａを釣り竿ＦＲとともに握ってパーミングした手の親指でスプール１２をサミングしながらスプール軸１６が鉛直面に沿うように両軸受リールを傾けてキャスティングする。すると、仕掛けの重さにより、スプール１２が糸繰り出し方向に回転し、釣り糸がスプール１２から繰り出される。
【００３３】
このとき、例えば仕掛けが海面に到達して釣り糸がたるむ糸ふけが生じると、釣り糸のたるみを取るために、ドラグ操作部材３を糸巻取方向に回転させる操作を行う。この操作を行うときは、釣り人は、図３及び図６に示すように、第１側カバー６ａを握ってパーミングして釣り竿ＦＲを持つ手の、例えば中指を延ばす。そして、釣り人は、ドラグ操作部材３の操作部５６に設けられた指当て部５６ｃに中指の指先Ｆの腹の部分Ｆａを接触させ、中指により矢印Ｂで示す糸巻取方向に向けて指当て部５６ｃを押圧する。これにより、ハンドル軸３０が糸巻取方向に回転してスプール１２に釣り糸を巻き取ることができ、釣り糸のたるみを解消できる。これにより、ハンドル２を操作することなく、釣り糸をスプール１２に巻き取ることができる。
【００３４】
ここでは、釣り竿ＦＲを持つ手によってドラグ操作部材３の先端部５６ｂをハンドル装着側と逆側から回転操作するとき、先端部５６ｂにある指当て部５６ｃが鋭角的に形成されるため、指当て部５６ｃに指先の腹の部分Ｆａが沿うようになり、釣り竿ＦＲを持つ手によってドラグ操作部材３を操作しやすくなる。したがって、操作補助部を設けることなく釣り竿ＦＲを持つ手によってドラグ操作部材３を容易に操作できる。このため、ドラグ操作部材３を、重量及びコストの増加を抑えて釣り竿ＦＲを持つ手により容易に操作できるようになる。
【００３５】
＜特徴＞
上記実施形態は、下記のように表現可能である。
【００３６】
（Ａ）ドラグ操作部材３は、釣り竿装着部５ｄを有するリール本体１に回転自在に支持されるハンドル軸３０に装着される。ドラグ操作部材３の操作部本体５０は、装着部５４と、複数の操作部５６と、を備える。装着部５４は、ハンドル軸３０にドラグナット５２を介して回転可能に装着される。複数の操作部５６は、釣り竿装着部５ｄ側において、装着部５４から、リール本体１よりも径方向外方に延びている。複数の操作部５６は、周方向に間隔を隔てて配置される。複数の操作部５６は、ハンドル軸３０と直交する面で切ったときに、ハンドル軸３０の軸芯Ｘと先端部５６ｂの最外径部５６ｅとを結ぶ第１直線Ｌ１となす角度αが鋭角となるように形成された指当て部５６ｃを先端部５６ｂに有する。
【００３７】
このドラグ操作部材３では、操作部５６が釣り竿装着部５ｄ側において、リール本体１よりも径方向外方に延びている。このため、釣り竿を握る手で操作部５６を操作可能である。また、操作部５６の先端部５６ｂに、ハンドル軸３０の軸芯Ｘと先端部５６ｂの最外径部５６ｅとを結ぶ第１直線Ｌ１となす角度αが鋭角となるような指当て部５６ｃを有する。ここでは、釣り竿ＦＲを持つ手によってドラグ操作部材３の操作部５６の先端部５６ｂをハンドル装着側と逆側から回転操作するとき、先端部５６ｂにある指当て部５６ｃが鋭角的に形成されるため、指当て部５６ｃに指先Ｆの腹の部分Ｆａが沿うようになり、釣り竿ＦＲを持つ手によってドラグ操作部材３を操作しやすくなる。したがって、操作補助部を設けることなく釣り竿ＦＲを持つ手によってドラグ操作部材３を容易に操作できる。このため、ドラグ操作部材３を、重量及びコストの増加を抑えて釣り竿ＦＲを持つ手により容易に操作できるようになる。
【００３８】
（Ｂ）ドラグ操作部材３において、先端部５６ｂは、操作部５６の他の部分である基端部５６ａよりも周方向の厚みが厚い。指当て部５６ｃは、指当て部５６ｃと、指当て部５６ｃの基端側と軸芯Ｘとを結ぶ第２直線Ｌ２と、のなす角度βが鈍角となるように形成される。この場合には、先端部５６ｂが厚くかつ指当て部５６ｃと第２直線Ｌ２とのなす角度βが鈍角のため、先端部５６ｂの厚みを厚くしても先端部５６ｂ以外の操作部５６の厚みを薄くでき、操作部５６全体としての重量の増加を抑えることができる。
【００３９】
（Ｃ）ドラグ操作部材３において、先端部５６ｂは、軸芯Ｘを通る面で切ったときに、最外径部５６ｅからリール本体１に近づくに連れて外周部から軸芯Ｘまでの距離Ｄが徐々に短くなる傾斜部５６ｄを有する。この場合には、傾斜部５６ｄに釣り竿ＦＲを持つ手の指先Ｆが当たっても角部がないため、ドラグ操作部材３を回転操作しても指先Ｆが痛くならない。
【００４０】
（Ｄ）両軸受リールは、リール本体１と、ハンドル軸３０と、発明１から３のいずれかに記載のドラグ操作部材３と、を備える。この場合には、上記作用効果を奏する両軸受リールを得ることができる。
【００４１】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００４２】
（ａ）前記実施形態では、手動の両軸受リールを例に説明したが、電動の両軸受リールにも本発明を適用できる。また、ハンドルが糸繰り出し方向に回転する両軸受リールにも本発明を適用できる。さらに、右ハンドルの両軸受リールを例に説明したが、左ハンドルの両軸受リールにも本発明を適用できる。この場合、右手で釣り竿を持つため、右手の指先でドラグ操作部材を操作して、スプールを僅かに糸巻取方向に回転させる。
【００４３】
（ｂ）前記実施形態では、ドラグ操作部材３の操作部５６の先端部５６ｂに傾斜部５６ｄを設けたが、傾斜部５６ｄを設けなくてもよい。
【００４４】
（ｃ）前記実施形態では、ハンドル軸から両方向に延びるダブルハンドルの両軸受リールを例に本発明を説明したが、本発明は垂れに限定されない。たとえば、ハンドル軸から一方向に延びるシングルハンドルの両軸受リールにも本発明を適用できる。
【符号の説明】
【００４５】
１    リール本体
３    ドラグ操作部材
５ｄ  釣り竿装着部
２１    ドラグ機構
３０    ハンドル軸
５４    装着部
５６    操作部
５６ｂ  先端部
５６ｃ  指当て部
５６ｄ  傾斜部
５６ｅ  最外径部
【図１】
0005956799.tif 000002
【図２】
0005956799.tif 000003
【図３】
0005956799.tif 000004
【図４】
0005956799.tif 000005
【図５】
0005956799.tif 000006
【図６】
0005956799.tif 000007